(57)【要約】【課題】定着装置において、ユーザーの誤作業をなくし、ユーザーの誤作業があっても装置が正常動作することを可能にする。【解決手段】定着装置６の前カバー２１は矢印Ｅ方向に移動して閉鎖され、排紙センサ遮光板２０は排紙センサ１９の受光部を遮光する。記録媒体が定着装置６を通過する際、排紙センサ遮光板２０は図中矢印Ｆ方向に回転し、排紙センサ１９の受光部に信号が届く。遮光時は定着装置６内に記録媒体無し、採光時は定着装置６内に記録媒体有となる。ジャム処理はジャム処理圧解除レバー１６Ｒ、１６Ｌを動かして定着体８と加圧体９の圧解除を行った後に記憶媒体を取り除き、ジャム処理圧解除レバー１６Ｒ、１６Ｌを逆移動させて加圧状態に復帰させる。復帰させずに前カバー２１を閉じると、ジャム処理圧解除１６Ｌ、１６Ｒは前カバー２１と接触し、前カバー２１の閉鎖動作と連動して加圧状態になる。【選択図】図３
2010044312.tif 000002
【特許請求の範囲】
【請求項１】
互いに加圧された定着体及び加圧体の加圧を解除するための圧解除手段を有する定着装置において、
ジャム処理時に前記定着体及び前記加圧体の圧解除に動作する可動部材と、
前記圧解除手段の圧解除状態を検知する圧解除検知手段とを有する
ことを特徴とする定着装置。
【請求項２】
請求項１の定着装置において、
定着装置内部におけるジャムを検知するジャム検知手段を備え、
該ジャム検知手段が前記圧解除検知手段を兼ねる
ことを特徴とする定着装置。
【請求項３】
請求項１または２の定着装置において、
前記可動部材が、前記定着装置の外装部材の閉鎖と連動して前記定着体及び前記加圧体を加圧状態に戻す手段を兼ねる
ことを特徴とする定着装置。
【請求項４】
請求項１ないし３のいずれかの定着装置において、
前記圧解除検知手段から圧解除の信号により記録媒体の搬送を停止することを特徴とする定着装置。
【請求項５】
請求項１ないし４のいずれかの定着装置において、
前記定着体及び前記加圧体は各々を保持するフレームを持ち、
前記圧解除部材を前記定着体を保持するフレームに取り付け、長期保存時に動作するようにしてなる
ことを特徴とする定着装置。
【請求項６】
請求項１ないし５のいずれかの定着装置において、
前記圧解除部材が前記定着体の軸方向と直行方向の回転軸を持つ
ことを特徴とする定着装置。
【請求項７】
請求項１ないし５のいずれかの定着装置において、
前記圧解除部材を前記定着体の軸方向に移動可能としてなる
ことを特徴とする定着装置。
【請求項８】
請求項１ないし７のいずれかの定着装置用いてなることを特徴とする画像形成装置。
【発明の詳細な説明】
【技術分野】
【０００１】
本発明は、プリンタや複写機、これらの複合機といった電子写真方式の画像形成装置に用いる定着装置に関し、詳細にはそれらにおける長期保管手段に関する。
【背景技術】
【０００２】
特許文献１には、加圧体の圧解除とジャム検知を連動させた技術が提案されている。この技術では通常使用時に発生するジャム処理の圧解除と長期保管時の圧解除が同一の機構になっている。
【０００３】
【特許文献１】特開平１１−２９６０１７号公報
【発明の開示】
【発明が解決しようとする課題】
【０００４】
特許文献１に開示されている発明では、通常使用時に発生するジャム処理の圧解除と長期保管時の圧解除が同一の機構になっているため、ジャム処理後、ユーザーが圧解除状態で外装を閉鎖してしまうとジャム検知信号を出し、再度加圧状態に戻すまで印刷が不可になってしまう。
【０００５】
本発明は、通常使用に発生するジャム処理の圧解除機構と長期保管時の圧解除機構を分離し、２種類の圧解除を設けることで、互いに加圧された定着体及び加圧体の加圧を解除する操作におけるユーザーの誤作業のない定着装置、画像形成装置を提供することを目的とする。
【課題を解決するための手段】
【０００６】
本発明の請求項１に係る定着装置は、互いに加圧された定着体及び加圧体の加圧を解除するための圧解除手段を有する定着装置において、ジャム処理時に前記定着体及び前記加圧体の圧解除に動作する可動部材と、前記圧解除手段の圧解除状態を検知する圧解除検知手段とを有することを特徴とする。
【０００７】
請求項２に係るものは、請求項１の定着装置において、定着装置内部におけるジャムを検知するジャム検知手段を備え、該ジャム検知手段が前記圧解除検知手段を兼ねることを特徴とする。
【０００８】
請求項３に係るものは、請求項１または２の定着装置において、前記可動部材が、前記定着装置の外装部材の閉鎖と連動して前記定着体及び前記加圧体を加圧状態に戻す手段を兼ねることを特徴とする。
【０００９】
請求項４に係るものは、請求項１ないし３のいずれかの定着装置において、前記圧解除検知手段から圧解除の信号により記録媒体の搬送を停止することを特徴とする。
【００１０】
請求項５に係るものは、請求項１ないし４のいずれかの定着装置において、前記定着体及び前記加圧体は各々を保持するフレームを持ち、前記圧解除部材を前記定着体を保持するフレームに取り付け、長期保存時に動作するようにしてなることを特徴とする。
【００１１】
請求項６に係るものは、請求項１ないし５のいずれかの定着装置において、前記圧解除部材が前記定着体の軸方向と直行方向の回転軸を持つことを特徴とする。
【００１２】
請求項７に係るものは、請求項１ないし５のいずれかの定着装置において、前記圧解除部材を前記定着体の軸方向に移動可能としてなることを特徴とする。
【００１３】
本発明の請求項８に掛かる画像形成装置は、請求項１ないし７のいずれかの定着装置用いてなることを特徴とする。
【発明の効果】
【００１４】
本発明は、プリンタや複写機、これらの複合機といった電子写真方式の画像形成装置に用いる定着装置において、ユーザーの誤作業をなくし、ユーザーの誤作業があっても装置が正常動作することを可能にする。
【発明を実施するための最良の形態】
【００１５】
以下本発明を実施するための最良の形態を説明する。本発明は、通常使用に発生するジャム処理の圧解除機構と長期保管時の圧解除を分離し、ジャム検知と連動した圧解除部と外装の閉鎖と連動して加圧状態に戻る圧解除部の２種類の圧解除を設け、ユーザーの誤作業をなくし、またユーザーの誤作業があっても装置が正常動作する定着装置、画像形成装置とするものである。
【００１６】
また本発明は、長期間保護用の圧解除機能を使い、解除を忘れてしまってもエラーを検知しユーザーに知らせる。エラー検知がないとファクシミリのような画像形成装置では、再印刷のきかない印刷物が未定着状態で印刷されてしまうが、ジャム検知によりこれを防ぐことが可能にする。
【００１７】
また本発明は、ジャム処理後、互いに加圧された定着体及び加圧体の加圧状態にユーザーが復帰させなくても自動的に復帰して正常動作することを可能にする。
【００１８】
さらに圧解除部材の精度良い位置決め、ユーザーの直感的使用を可能にするものである。
【実施例１】
【００１９】
以下本発明の実施例を図面を参照して説明する。
図１は、本発明の実施対象となる画像形成装置の一例であるレーザープリンタの全体構成を示したものである。書込装置１、像形成装置２、中間転写装置３、給紙カセット４、転写装置５、定着装置６、排紙部７など備え、一般的な電子写真プロセスに従ってフルカラー画像を形成する。書込装置１はカバーとともに矢印Ａに示す方向に開放し、像形成装置を上方に取り出すことが可能である。また、転写装置５はカバーとともに矢印Ｂの方向に開放し、容易に紙詰まりの処理が可能である。
【００２０】
図２は、図１の装置で用いて得る本発明の定着装置の一実施例の構造を示す。加圧手段１７Ｒ、１７Ｌにより加圧フレーム１１Ｒ、１１Ｌを介して加圧体９が定着体８に圧接されている。また、定着体８は両端を定着フレーム１０Ｒ、１０Ｌで保持されている。
【００２１】
図中１６Ｒ、１６Ｌはジャム処理圧解除レバーで、これらジャム処理圧解除レバー１６Ｒ、１６Ｌは、図中矢印Ｃ１に示す方向で加圧し、矢印Ｃ２に示す方向で圧解除するものである。長期保管時の圧解除スペーサ１２、１８は、定着フレーム１０Ｒ、１０Ｌに取り付けられたシャフト１３Ｒ、１３Ｌに嵌合している。このシャフト１３Ｒ、１３Ｌは軸周り方向に回転可能になっており、図中の矢印Ｄ１方向に回転することで圧解除を行い、矢印Ｄ２方向に回転することで加圧するようになっている。なお、図２では圧解除状態を示してある。
【００２２】
図３に本実施例における定着装置６の周辺の構成を示す。図３（Ａ）は通常印刷状態、図３（Ｂ）は長期保管の圧解除を行った状態、図３（Ｃ）はジャム処理の圧解除を行った状態である。定着装置６の上方に排紙センサ１９を設け、前方に前カバー２１がある。前カバー２１には排紙センサ遮光板２０が取り付けられている。前カバー２１は図中の矢印Ｅの方向に移動することで閉鎖され、図３（Ａ）に示すように排紙センサ遮光板２０は排紙センサ１９の受光部を遮光する。記録媒体が定着装置６を通過する際、排紙センサ遮光板２０は図中矢印Ｆの方向に回転し、排紙センサ１９の受光部に信号が届く。よって、遮光時は定着装置６内に記録媒体無し、採光時は定着装置６内に記録媒体有となる。また、この遮光・採光は排紙センサ遮光板２０の角度を変えることで逆転することが可能になる。
【００２３】
ジャム処理はジャム処理圧解除レバー１６Ｒ、１６Ｌを図中矢印Ｃ２方向に動かして定着体８と加圧体９の圧解除を行った後、詰まっていた記憶媒体を取り除き、ジャム処理圧解除１６Ｒ、１６Ｌを図中矢印Ｃ１方向に移動させて定着体８と加圧体９の加圧状態に復帰させる。また、ユーザーが加圧状態に復帰させずに前カバー２１を閉鎖させる場合、図３（Ｃ）に示すようにジャム処理圧解除１６Ｌ、１６Ｒは前カバー２１と接触し（接触部Ｘ）、前カバー２１の閉鎖動作と連動して加圧状態になる。
【００２４】
定着体８と加圧体９を加圧状態にしたまま長期に定着装置６を保管すると、定着体８と加圧体９に変形が生じ、異音や定着不良の原因となる。そのため、長期保管時は加圧体９の圧解除を行う必要があるが、その場合、ジャム処理圧解除レバー１６Ｒ、１６Ｌを図中矢印Ｃ２方向に動かして圧解除を行った後、シャフト１３Ｒ、１３Ｌを矢印Ｄ２方向に回転させて加圧フレーム１１Ｒ、１１Ｌと定着フレーム１０Ｒ、１０Ｌの間に移動させる。その状態でジャム処理圧解除レバー１６Ｒ、１６Ｌを矢印Ｃ１方向に移動することで加圧フレーム１１Ｒ、１１Ｌと定着フレーム１０Ｒ、１０Ｌの間に圧解除スペーサ１２、１８が固定され圧解除が行われる。
【００２５】
また、長期保管時に定着体８と加圧体９の圧解除を行った状態では、排紙センサ１９と前カバー２１の間に圧解除スペーサ１２に取り付けられた遮断リブ１２ａが移動し、排紙センサ遮光板２０は排紙センサ１９の受光部をさえぎることはない。そのため、定着装置６内に記録媒体有と判定されユーザーにジャムエラー信号が通達、記憶媒体の搬送が停止が行われる。ジャムエラー信号が通達されても、記憶媒体の搬送はジャム処理が行われるまで継続するため、長期間の圧解除を行った状態での画像形成装置が動作させるといった誤操作を未然に防ぐことができる。
【００２６】
また、図４に示すような圧解除スペーサ２２を用い定着体８の軸方向に移動する機構を用いても同様の機能を得ることができる。このとき２２をＧ１方向に移動することで加圧体は圧解除状態になり、遮断リブ２２ａが排紙センサ１９の受光部をさえぎる。
【図面の簡単な説明】
【００２７】
【図１】本発明の実施対象となる画像形成装置の一例であるレーザープリンタの全体構成を示した図
【図２】図１の装置で用いて得る本発明の定着装置の一実施例の構造を示図
【図３】本実施例における定着装置の周辺の構成を示す図
【図４】圧解除スペーサを用いて定着体の軸方向に移動する機構を用い例を示す図
【符号の説明】
【００２８】
１：書込装置
２：像形成装置
３：中間転写装置
４：給紙カセット
５：転写装置
６：定着装置
７：排紙部
８：定着体
９：加圧体
１０Ｒ、１０Ｌ：定着フレーム
１１Ｒ、１１Ｌ：加圧フレーム
１２、１８：圧解除スペーサ
１２ａ：遮断リブ
１３Ｒ、１３Ｌ：シャフト
１６Ｒ、１６Ｌ：ジャム処理圧解除レバー
１７Ｒ、１７Ｌ：加圧手段
１９：排紙センサ
２０：排紙センサ遮光板
２１：前カバー
【図１】
2010044312.tif 000003
【図２】
2010044312.tif 000004
【図３】
2010044312.tif 000005
【図４】
2010044312.tif 000006